(57)【要約】【課題】指定の設定項目の設定内容が選択したジョブと同一のジョブを抽出してジョブリスト内で識別表示しかつこれら抽出したジョブに対して保留や優先順位変更などの操作を一括で実施できる画像形成装置を提供する。【解決手段】ジョブリスト画面に互いに重なることのない第１領域６１と第２領域６２とを設け、ジョブリストを第１領域６１に表示すると共に、該表示と並行して、ジョブリストの中から選択されたジョブＳｊの各設定項目の設定内容を各々操作ボタン６５として第２領域６２に表示し、いずれかの操作ボタンが選択されるとその操作ボタンに対応する設定内容と同一設定内容を有するジョブＲｊをジョブリストから抽出して識別表示する。またジョブを抽出した状態で別領域６３の操作ボタン６７が操作されると、抽出ジョブに対して削除、保留、優先順位変更などの操作を一括で施す。【選択図】図４
2008257580.tif 000002
【特許請求の範囲】
【請求項１】
画像形成を伴うジョブを実行する画像形成装置であって、
ジョブの設定内容を表わしたジョブ情報が記憶されるジョブ記憶部と、
互いに重なることのない第１領域と第２領域とが画面内に設けられる表示装置と、
前記表示装置への表示内容を制御する制御部と、
を備え、
前記制御部は、前記ジョブ記憶部に記憶されている前記ジョブ情報に基づいて、ジョブリストを前記第１領域に表示すると共に、該表示と並行して、前記ジョブリストの中から選択されたジョブの設定内容を設定項目別にかつ操作ボタンの機能を持たせて前記第２領域に表示し、前記操作ボタンが選択された場合は、該選択された操作ボタンに対応する設定内容を検索キーとして前記ジョブリストの中からジョブを抽出し、該抽出したジョブと他のジョブとを識別可能な構成にして前記ジョブリストを表示する
ことを特徴とする画像形成装置。
【請求項２】
選択された操作ボタンに対応する設定内容と同一の設定内容を含むジョブを抽出する
ことを特徴とする請求項１に記載の画像形成装置。
【請求項３】
前記操作ボタンは複数選択可能であり、
選択された各操作ボタンに対応する設定内容のＡＮＤ条件を検索キーにする
ことを特徴とする請求項１に記載の画像形成装置。
【請求項４】
前記抽出したジョブと他のジョブとを識別可能な構成にして前記ジョブリストを表示している状態で、所定の操作ボタンが選択されたとき、前記抽出したジョブに対して所定の操作を一括して行う
ことを特徴とする請求項１に記載の画像形成装置。
【請求項５】
前記抽出したジョブを、前記所定の操作の対象から個別に外す操作を受け付ける
ことを特徴とする請求項４に記載の画像形成装置。
【請求項６】
前記所定の操作は、ジョブの優先順位を変更する操作である
ことを特徴とする請求項４に記載の画像形成装置。
【請求項７】
前記所定の操作は、ジョブを削除する操作である
ことを特徴とする請求項４に記載の画像形成装置。
【請求項８】
前記所定の操作は、ジョブを保留状態にする操作である
ことを特徴とする請求項４に記載の画像形成装置。
【発明の詳細な説明】
【技術分野】
【０００１】
本発明は、ジョブリストを表示可能な画像形成装置に関する。
【背景技術】
【０００２】
複写機などの画像形成装置には、前のジョブの出力が完了する前に次のジョブを予約ジョブとして投入できる、所謂  予約機能を有するものがある。また、予約機能を備えた画像形成装置には、図８に示すように、出力待ちのジョブのジョブ番号や状態、印刷枚数、所要時間などを一覧にしたジョブリスト５０１をジョブ管理画面５００に表示する機能を備えたものがある。ジョブリスト５０１はユーザが出力待ちのジョブの状況を確認し、必要に応じてジョブリスト５０１の中からジョブを選択して保留にしたり、削除したり、優先順位を変更したりするために利用される。
【０００３】
このような判断を的確に行うためには、ジョブリストに表示された情報だけでは不十分な場合がある。そこで、ジョブ管理画面５００内に詳細ボタン５０２ａを設けておき、この詳細ボタン５０２ａが操作されると、そのとき選択されているジョブの詳細情報を別画面に遷移して表示したり別画面をポップアップして表示したりする画像形成装置がある（たとえば、特許文献１参照。）。
【０００４】
また、予約ジョブは通常その投入順に実行されると共に、予約ジョブの投入時に指定したサイズや紙種の用紙がそのジョブの実行時に給紙トレイにない場合は、そのジョブの実行を一時停止して警告を表示し、指定の用紙がユーザによって装填されるのを待つといった動作が一般に行われる。このため、多くの予約ジョブがある場合にそれらのジョブを投入順に実行すると、給紙トレイの用紙を頻繁に入れ替える必要の生じる場合があり、かかる場合には、ユーザの作業負担が増加するばかりか、交換作業の都度、出力動作が停止して画像形成装置の稼動率が大きく低下してしまう。
【０００５】
このような場合、出力用紙に指定している用紙が給紙トレイに装填されていないジョブをジョブリストの中から選択して保留状態に変更すればよいが、多数のジョブがジョブリストに登録されているときは、該当のジョブを見つけ出し、それらのジョブを保留状態に変更するための作業負担も大きくなる。そこで、指定したジョブと出力用紙が同一のジョブをジョブリストの中から抽出し、これらを纏めて保留状態に移行させる機能を備えた画像形成装置が提案されている（たとえば、特許文献２参照。）。
【０００６】
【特許文献１】特開平８−３０７５８３号公報
【特許文献２】特開２００６−２６９９２号公報
【発明の開示】
【発明が解決しようとする課題】
【０００７】
画像形成装置では、装置コストやパネル配置などの関係から表示画面のサイズに制約があることが多く、ジョブリストに表示するジョブ毎の情報を大幅に増やすことは難しい。また、ジョブリストの中から選択したジョブの詳細情報を別画面に遷移して表示する構成では、詳細情報を確認する度に、別画面を表示させるための操作および確認終了後に元の画面へ戻るための操作が必要になり、その作業が煩雑で迅速に行うことができないという問題があった。さらに、ジョブリストの中で選択したジョブの詳細情報とジョブリストとを同時に見ることが出来ないので不便だった。
【０００８】
また、指定したジョブと出力用紙が同一のジョブをジョブリストの中から抽出し、これらを纏めて保留状態に移行させる機能は便利であるが、任意の条件でジョブを抽出できないことや、抽出されたジョブを保留状態に移行させることしかできないなどの制約があった。
【０００９】
本発明は、上記の問題を解決しようとするものであり、本発明の第１の目的は選択したジョブと指定の設定項目の設定内容が同一のジョブを抽出して表示することのできる画像形成装置を提供することにあり、第２の目的はその抽出したジョブに対して一括した操作が可能な画像形成装置を提供することにある。
【課題を解決するための手段】
【００１０】
かかる目的を達成するための本発明の要旨とするところは、次の各項の発明に存する。
【００１１】
［１］画像形成を伴うジョブを実行する画像形成装置であって、
ジョブの設定内容を表わしたジョブ情報が記憶されるジョブ記憶部と、
互いに重なることのない第１領域と第２領域とが画面内に設けられる表示装置と、
前記表示装置への表示内容を制御する制御部と、
を備え、
前記制御部は、前記ジョブ記憶部に記憶されている前記ジョブ情報に基づいて、ジョブリストを前記第１領域に表示すると共に、該表示と並行して、前記ジョブリストの中から選択されたジョブの設定内容を設定項目別にかつ操作ボタンの機能を持たせて前記第２領域に表示し、前記操作ボタンが選択された場合は、該選択された操作ボタンに対応する設定内容を検索キーとして前記ジョブリストの中からジョブを抽出し、該抽出したジョブと他のジョブとを識別可能な構成にして前記ジョブリストを表示する
ことを特徴とする画像形成装置。
【００１２】
上記発明では、ジョブリストとこのジョブリストから選択されたジョブに関する設定内容とが互いに重なることのない別領域に同時並行に表示される。これにより、ユーザはジョブリストを見ながら、該ジョブリストの中から選択したジョブに関する設定内容を確認することができ、目的の設定内容を有するジョブを素早く容易に見つけ出すことができる。
【００１３】
さらに、第２領域に表示した操作ボタンを選択することで、その操作ボタンに対応する設定内容を検索キーにしてジョブリストの中からジョブが抽出され、該抽出されたジョブが他のジョブと識別可能な態様で表示される。これにより、たとえば、所望の設定内容と同一設定内容を有するジョブをジョブリストの中から探し出す手間が軽減される。また、第２領域内のどの操作ボタンを選択するかによって検索キーを変更できるので、目的の条件にあったジョブを抽出することができる。
【００１４】
なお上記画像形成装置は、たとえば、ジョブの設定内容を表わしたジョブ情報が記憶されるジョブ記憶部を備え、制御部が、このジョブ記憶部に記憶されているジョブ情報に基づいてジョブリストの表示やジョブの設定内容の表示を行うように構成することができる。
【００１５】
［２］選択された操作ボタンに対応する設定内容と同一の設定内容を含むジョブを抽出する
ことを特徴とする［１］に記載の画像形成装置。
【００１６】
上記発明では、操作ボタンに表示されている設定内容を検索キーとし、該設定内容と同一の設定内容を有するジョブが抽出される。
【００１７】
［３］前記操作ボタンは複数選択可能であり、
選択された各操作ボタンに対応する設定内容のＡＮＤ条件を検索キーにする
ことを特徴とする［１］に記載の画像形成装置。
【００１８】
上記発明では、複数の操作ボタンが選択でき、かつそれら選択した操作ボタンに対応する設定内容がＡＮＤ条件として検索に使用される。複数の設定内容のＡＮＤ条件でジョブを検索して抽出することができ、目的にあったジョブを絞り込んで抽出することができる。
【００１９】
［４］前記抽出したジョブと他のジョブとを識別可能な構成にして前記ジョブリストを表示している状態で、所定の操作ボタンが選択されたとき、前記抽出したジョブに対して所定の操作を一括して行う
ことを特徴とする［１］に記載の画像形成装置。
【００２０】
上記発明では、抽出したジョブに対して一括した操作が可能になり、利便性が向上する。
【００２１】
［５］前記抽出したジョブを、前記所定の操作の対象から個別に外す操作を受け付ける
ことを特徴とする［４］に記載の画像形成装置。
【００２２】
上記発明では、抽出したジョブの中から任意のジョブを一括操作の対象から外すことができ、ユーザの要求に柔軟に対応できる。
【００２３】
［６］前記所定の操作は、ジョブの優先順位を変更する操作である
ことを特徴とする［４］に記載の画像形成装置。
【００２４】
上記発明では、抽出したジョブの優先順位を一括して変更することができる。
【００２５】
［７］前記所定の操作は、ジョブを削除する操作である
ことを特徴とする［４］に記載の画像形成装置。
【００２６】
上記発明では、抽出したジョブを一括して削除することができる。
【００２７】
［８］前記所定の操作は、ジョブを保留状態にする操作である
ことを特徴とする［４］に記載の画像形成装置。
【００２８】
上記発明では、抽出したジョブを一括して保留することができる。
【発明の効果】
【００２９】
本発明に係る画像形成装置によれば、ジョブリストと該ジョブリストから選択されたジョブの設定内容とが同一の画面内の重なることのない別領域に並行に表示されるので、ジョブリストから選択したジョブの設定内容を確認するために別画面を開く必要がない。これにより、各ジョブの設定内容を素早く確認できると共にユーザの操作負担が軽減される。
【００３０】
また、選択したジョブの設定内容を検索キーにしてジョブリストの中からジョブを抽出し、該抽出したジョブと他のジョブとを識別可能にしてジョブリストを表示するものでは、各ジョブの設定内容を個別に確認することなく、目的の設定内容を有するジョブを認識することができる。
【００３１】
さらに、抽出したジョブに対して一括した操作が可能なものでは、同一設定内容を有する複数のジョブに対して同一の操作を施す場合の作業量が軽減されて利便性が向上する。
【発明を実施するための最良の形態】
【００３２】
以下、図面に基づき本発明の実施の形態を説明する。
【００３３】
図１は、本発明の一実施の形態に係る画像形成装置１０の概略構成を示している。画像形成装置１０は、原稿を光学的に読み取って得た画像を記録紙に印刷して出力するコピー機能、原稿を光学的に読み取って得た画像データを外部機器へ出力するスキャン機能、その画像データを保存する保存機能、プリンタ機能などを備えた複合機として構成されている。
【００３４】
画像形成装置１０は、本体制御部２０にスキャナ部１１と、プリンタ部１２と、ユーザインターフェースを司る操作表示部１３と、ＦＮＳ制御部１４を接続して構成される。プリンタ部１２の後段には、プリンタ部１２から排出された記録紙に折り、綴じ、穴あけなどの後処理を施す図示省略の後処理装置が接続されることがあり、ＦＮＳ制御部１４はその後処理装置を制御する。
【００３５】
スキャナ部１１は、原稿を光学的に読み取って画像データを取得する機能を果たす。スキャナ部１１は、原稿を照射する光源と、原稿をその幅方向に１ライン分読み取るラインイメージセンサと、ライン単位の読取位置を原稿の長さ方向に移動させる移動手段と、原稿からの反射光をラインイメージセンサに導いて結像させるレンズやミラーからなる光学経路とを備えている。
【００３６】
プリンタ部１２は、画像データに応じた画像を記録紙に印刷する機能を果たす。ここでは、プリンタ部１２は電子写真プロセスによって画像形成し、記録紙の搬送装置と、感光体ドラムと、帯電装置と、レーザーユニットと、現像装置と、転写分離装置と、クリーニング装置と、定着装置とを有する、所謂、レーザープリンタとして構成されている。
【００３７】
操作表示部１３は、表面にタッチパネルを備えた表示装置としての液晶ディスプレイ（ＬＣＤ…Liquid Crystal Display）とスタートボタンなどの操作スイッチとから構成され、各種の操作画面や案内画面を表示したり、ユーザから各種の操作を受け付けたりする。画像形成装置１０は操作表示部１３を通じてユーザからジョブに関する各種の設定操作、ジョブの投入操作などを受け付ける。ジョブには、原稿をコピーするコピージョブ、印刷データに基づいて印刷するプリントジョブなどがある。
【００３８】
本体制御部２０は、画像形成装置１０の動作を統括制御する制御部としての制御ＣＰＵ（Central Processing Unit）２１を備えている。制御ＣＰＵ２１には互いに独立した画像バス２２とシステムバス２３とが接続されている。
【００３９】
画像バス２２には読み取り処理部２４と書き込み処理部２５が接続されている。読み取り処理部２４は、スキャナ部１１から入力される画像データに対して逐次、シーディング補正／輝度濃度変換、濃度γ変換、誤差拡散などの画像処理を施す回路である。書き込み処理部２５はプリンタ部１２へ出力される画像データに対して、セル平均化、解像度変換、プリンタγ変換、微小変倍、スクリーン処理などの画像処理を施す回路である。
【００４０】
システムバス２３には、プログラムメモリ２６と、システムメモリ２７と、不揮発メモリ２８と、表示用メモリであるＶＲＡＭ３１と、ＬＣＤコントローラ３２とが接続されている。プログラムメモリ２６は制御ＣＰＵ２１が実行するプログラムを格納する。システムメモリ２７は制御ＣＰＵ２１がプログラムを実行する際に各種のデータを一時的に格納するワークメモリや画像メモリとして使用される。
【００４１】
不揮発メモリ２８には、ユーザ名やパスワードなどユーザ情報、ジョブの設定内容や所有者などそのジョブの属性を表わすジョブ情報、その他電源がオフしても保存しておくべき各種の情報（使用度数を示すカウンタなど）が記憶される。
【００４２】
ＶＲＡＭ(video Random Access Memory）３１は、操作表示部１３の液晶ディスプレイ（ＬＣＤ）に表示させる画面のデータを記憶するためのメモリである。ＬＣＤコントローラ３２はＶＲＡＭ３１に記憶されているデータに基づく画面を操作表示部１３の液晶ディスプレイ（ＬＣＤ）に表示させるための制御を行う。
【００４３】
図２は、コピージョブに関する各種設定が行われるコピー設定画面４０の一例を示している。コピー設定画面４０の上部には、画像形成装置１０の現在の状態に関する基本事項を表示するための基本情報表示部５０が設けられている。コピー設定画面４０において、基本情報表示部５０の下方には、原稿設定４１、画質設定４２、倍率設定４３、片面／両面設定４４、応用設定４５、出力設定４６、用紙設定４７の各設定欄が設けられている。これらの設定欄４１〜４７には設定のための案内情報や操作ボタンが表示されるほか、各設定項目に対する現時点の設定内容が表示されている。
【００４４】
たとえば、原稿設定は、原稿の読み込み方法(連続・単葉)やスキャナ部１１にセットされた原稿の向きに関する設定である。図２の例では、原稿の読み込み方法は「連続読み込み」に、原稿の向きは「上向き」に設定されている。応用設定では、インターシート機能および枠／折り目消し機能がオンに設定されている。インターシート機能は、プリンタ部１２から出力された記録紙と記録紙との間に別途のシートを後処理装置で挿入する機能である。枠／折り目消し機能は、読み取った原稿の周縁部や２つ折りなどの折り目部分の画像を白データに置き換えて、影などの不要画像を消去する機能である。
【００４５】
出力設定では、プリンタ部１２から出力された記録紙をステープルで綴じる機能およびパンチで穴あけする機能がオンに設定されている。用紙設定では、当該コピージョブで使用する記録紙はトレイ１から給紙するように設定されている。また、用紙設定の設定欄には、各トレイにセットされている用紙のサイズや紙種、斤量、残量なども表示されている。なお、用紙予約設定ボタン４７ａを操作すれば、現時点で挿入されている用紙と異なる任意の用紙が挿入された状態を仮想的に設定して出力時の給紙トレイを選択することができるようになっている。
【００４６】
コピー設定画面４０などで設定された各設定項目の設定内容はそのジョブのジョブ情報の一部とされて不揮発メモリ２８に記憶される。なお、ジョブ情報には、そのジョブを投入したユーザのユーザ名、ジョブの種類（プリント、コピーなど）を示すモード、プリントジョブの場合は印刷対象の印刷データのファイル名、ジョブの状態（出力中、予約、保留など）、印刷枚数、印刷部数、印刷完了までの残枚数、ジョブを実行する際の所要時間を示す情報なども含まれる。
【００４７】
画像形成装置１０は、前に投入したジョブの実行が完了する前に次のジョブを予約ジョブとして投入できるように構成されている。コピー動作は、スキャナ部１１で原稿を読み取って得た画像データをメモリに一旦保存する入力動作と、このメモリから画像データを読み出してプリンタ部１２から出力させる出力動作との組み合わせで行われる。そのため、入力動作が終了してスキャナ部１１が空き状態になれば、そのジョブに係る出力動作をプリンタ部１２が実行している間に次のジョブの原稿をスキャナ部１１で読み取ってメモリに保存することで予約ジョブを投入することができる。たとえば、複数部（たとえば、１００部）をコピーする場合には、そのジョブの出力動作中に多くの予約ジョブを投入することも可能になる。
【００４８】
また、プリントジョブの場合、他のジョブの出力動作中にパーソナルコンピュータなどの外部端末から次々と新たなプリントジョブを予約ジョブとして受けることができる。
【００４９】
画像形成装置１０は、投入されたジョブのうち出力動作が未完了のジョブを出力優先度順に並べたジョブキューを作成して不揮発メモリ２８に記憶し、該ジョブキューの先頭からジョブの出力動作を実行するようになっている。なお、ジョブキューに登録されている各ジョブとそのジョブのジョブ情報とは紐付けされている。制御ＣＰＵ２１は、不揮発メモリ２８に記憶されているジョブキューおよびジョブ情報に基づいて、後述するジョブリストやジョブの設定内容を表示する。
【００５０】
次に、ジョブリストの表示について説明する。
【００５１】
図３および図４は、操作表示部１３に表示されるジョブリスト画面６０を示している。ジョブリスト画面６０は、図２に示すコピー設定画面４０の画面上部右寄りにあるジョブリストタグ４８をユーザが選択すると表示される。なお、画像形成装置１０では、操作表示部１３に表示される各種画面上の該当箇所や画面上に表示されている操作ボタンにユーザが指で触れたとき、その箇所やその操作ボタンに対する操作や選択を受け付けるようになっている。
【００５２】
ジョブリスト画面６０の上部にはコピー設定画面４０と同様に基本情報表示部５０が設けられている。ジョブリスト画面６０には、ジョブリスト７０が表示される第１領域６１と、そのジョブリストの中からユーザによって選択されたジョブ（選択ジョブＳｊ）に関する設定内容が設定項目別に表示される第２領域６２と、各種の操作ボタンが配列された第３領域６３とが、互いに重なることない別領域として形成されている。
【００５３】
図３のジョブリスト画面６０（Ａ）は第１領域６１に表示されたジョブリスト７０の中からユーザによりジョブが選択されていない状態（非選択状態）を示し、図４はジョブリスト７０の中の１つのジョブがユーザにより選択された状態（選択状態）のジョブリスト画面６０（Ｂ）を示している。
【００５４】
第１領域６１に表示されるジョブリスト７０には、ジョブ番号、ジョブを投入したユーザのユーザ名、ジョブの種類を示すモード、プリントジョブの場合は印刷対象の印刷データのファイル名、ジョブの現在の状態（出力中、予約、保留など）、印刷枚数、印刷部数、印刷完了までの残枚数、ジョブ実行の所要時間を示す情報がジョブ毎に横一行に列挙して表示される。
【００５５】
図４に示すように、第２領域６２には、第１領域６１に表示したジョブリスト７０の中から選択された選択ジョブＳｊに関する設定内容を設定項目別に表示すると共にそれぞれ操作ボタンの機能を備えた複数の表示操作ボタン６５が設けられている。これらの表示操作ボタン６５は複数のグループに分類されて表示されると共に、それぞれのグループのタイトル６６が表示される。
【００５６】
図４のジョブリスト画面６０（Ｂ）では、トレイ／用紙に関する設定項目のグループ、印刷面に関する設定項目のグループ、応用設定に関する設定項目のグループ、後処理に関する設定項目のグループ、排紙トレイに関する設定項目のグループが表示されている。これらのグループのタイトル６６ａ〜６６ｅは第２領域６２の上部に横一行に並べて表示されており、各タイトルの下方にそのタイトルが示すグループに属する設定項目の表示操作ボタン６５が配列されている。
【００５７】
たとえば、図４のジョブリスト画面６０（Ｂ）では、「トレイ／用紙」のタイトル６６ａの下にそのグループに属する表示操作ボタン６５として、出力用紙のサイズを示す用紙サイズボタン６５ａと、出力用紙の種類を示す紙種ボタン６５ｂと、出力用紙の給紙トレイ番号を示すトレイボタン６５ｃが縦に並べて表示されている。この例では、用紙サイズボタン６５ａには「Ａ４」と表示されており、用紙サイズが「Ａ４」に設定されていることを示している。紙種ボタン６５ｂには「普通紙」と表示されており、紙種が「普通紙」に設定されていることを示している。トレイボタン６５ｃには「トレイ２」と表示されており、給紙トレイが「トレイ２」に設定されていることを示している。
【００５８】
図３に示すように、ジョブが非選択状態では第２領域６２の各表示操作ボタン６５は非表示になっている。第１領域６１に表示されたジョブリスト７０の中からユーザが１つのジョブを選択すると、図４に示すように、その選択されたジョブ（選択ジョブＳｊ）の各設定項目の設定内容を示す表示操作ボタン６５が第２領域６２に表示される。またジョブリスト７０の表示においては、選択ジョブＳｊに対応する横一行が反転表示になるなど他のジョブと異なる態様で表示される。図４はジョブ番号０００３のジョブＳｊがユーザによって選択された状態を示しており、ジョブ番号０００３の行がジョブリスト７０内で識別表示され、かつそのジョブの設定内容が第２領域６２に表示されている。
【００５９】
なお、ユーザがジョブリスト７０の該当する箇所を指で触れるとその箇所に表示されているジョブが選択される。また、ジョブが選択されている状態でジョブリスト７０内の他のジョブの表示箇所にユーザが指で触れると、当該他のジョブが新たな選択ジョブになり、この新たな選択ジョブの設定内容に対応して第２領域６２の表示内容が切り替わるようになっている。
【００６０】
第３領域６３には、設定解除ボタン６７ａ、ＨＤＤ読込ボタン６７ｂ、削除ボタン６７ｃ、保留ボタン６７ｄ、優先出力ボタン６７ｅ、優先ボタン６７ｆ、詳細／編集ボタン６７ｇの各操作ボタン６７が配列されている。
【００６１】
制御ＣＰＵ２１は、ジョブが選択されている状態でいずれかの操作ボタン６７が操作されたとき、該操作ボタン６７に対応する処理を現在選択されているジョブに対して施す。
【００６２】
詳細には、制御ＣＰＵ２１は、設定解除ボタン６７ａが操作されると、第２領域６２に設定内容が表示されているジョブに関する現在の設定内容をすべて解除してデフォルト値に設定変更する。また、削除ボタン６７ｃが操作されると、現在選択されているジョブを削除する。
【００６３】
保留ボタン６７ｄが操作されると、現在選択されているジョブの状態を保留状態に変更する。ジョブを保留状態にする方法は、たとえば、そのジョブをジョブキューに入れたままでジョブの状態情報を保留に変更する。この場合、制御ＣＰＵ２１がジョブキューの先頭から次に実行するジョブを探す際に、状態情報が保留になっているジョブをスキップするように構成すればよい。また、保留にするジョブをジョブキューから一旦外すように構成されてもよい。
【００６４】
制御ＣＰＵ２１は、優先出力ボタン６７ｅが操作されると、現在選択されているジョブの優先順位を最高順位にする。また、優先ボタン６７ｆが操作されると、現在選択されているジョブの優先順位を任意に変更可能になり、その操作の受付状態になる。優先順位の変更は、ジョブキューの中でジョブの順序を変更することによって行う。
【００６５】
制御ＣＰＵ２１は、詳細／編集ボタン６７ｇが操作されると、そのジョブに関する各種設定内容を変更するための図示省略した画面をポップアップ表示する。たとえば、図２に示したコピー設定画面４０と同様の設定変更が可能な操作画面が表示される。
【００６６】
画像形成装置１０は、ユーザによりジョブリスト７０から直接選択された選択ジョブＳｊの設定内容が第２領域６２に表示されている状態で第２領域６２の表示操作ボタン６５が選択されると、該選択された表示操作ボタン６５が示す設定内容とその設定項目について同一の設定内容が設定されているジョブをジョブリスト７０の中から検索して抽出し、それら抽出したジョブ（抽出ジョブＲｊ）を他のジョブと識別可能な構成にしてジョブリスト７０を表示する。
【００６７】
たとえば、図５は、図４に例示したジョブリスト画面６０（Ｂ）においてトレイボタン６５ｃが選択された場合のジョブリスト画面６０（Ｃ）を示している。この例では、トレイボタン６５ｃに「トレイ２」と表示されているので、出力用紙の給紙トレイがトレイ２に設定されているジョブであって選択ジョブＳｊ以外のジョブＲｊがジョブリスト７０の中から抽出され、他のジョブと識別可能な構成で表示されている。
【００６８】
ここでは、選択ジョブＳｊと抽出ジョブＲｊとその他のジョブと識別できるようにこれらを互いに異なる態様で表示している。図５の例では、ジョブ番号が０００７、００１２、００１３の３つの抽出ジョブＲｊが抽出され、これらの抽出ジョブＲｊに対応する各行が他のジョブの行と異なる態様で表示されている。
【００６９】
なお、表示操作ボタン６５は複数選択することができ、複数選択された場合は、それらの設定内容がＡＮＤ条件にされてジョブの抽出が行われる。すなわち、選択された複数の表示操作ボタン６５に対応する設定内容とすべての設定項目について同一の設定内容を有するジョブが抽出されて識別表示される。これにより、複数の条件により目的のジョブを容易に絞り込むことができる。表示操作ボタン６５を複数選択する操作は、表示操作ボタン６５を次々に操作することで行うことができる。また選択されている表示操作ボタン６５を再度操作することでその表示操作ボタン６５の選択を解除することができる。
【００７０】
ジョブが抽出された状態で  第３領域６３に配置されているいずれかの操作ボタン６７が操作されると、制御ＣＰＵ２１は、その操作ボタン６７に対応する処理（操作）を、抽出ジョブＲｊもしくは抽出ジョブＲｊと選択ジョブＳｊに対して一括で施す。たとえば、削除ボタン６７ｃが操作されると、選択ジョブＳｊおよび抽出ジョブＲｊを一括で削除し、保留ボタン６７ｄが操作されると、選択ジョブＳｊおよび抽出ジョブＲｊを一括で保留状態にする。また、優先出力ボタン６７ｅが操作された場合は、抽出ジョブＲｊに対して優先順位の変更処理を行い、図６のジョブリスト画面６０（Ｄ）に示すように、選択ジョブＳｊの後ろに抽出ジョブＲｊを連続して集約させる。
【００７１】
なお、抽出ジョブＲｊについては、上記の一括処理の対象から個別に外すことができるようになっている。ここでは、ジョブリスト７０内で抽出ジョブＲｊの表示箇所を選択することでその抽出ジョブＲｊを一括処理の対象から外すことができ、該表示箇所を再度選択することで一括処理の対象に戻すことができるようになっている。一括処理の対象から外れた抽出ジョブＲｊは一括処理の対象にされている抽出ジョブＲｊと識別可能に表示される。たとえば、一括処理の対象から外れた抽出ジョブＲｊはグレーアウト表示される。
【００７２】
図７は、ジョブリスト画面６０の表示に関して制御ＣＰＵ２１が行う処理の流れを示している。制御ＣＰＵ２１はジョブリスト７０の表示指示をユーザから受ける（たとえば、コピー設定画面４０でジョブリストタグ４８が選択される）と（ステップＳ２０１；Ｙｅｓ）、不揮発メモリ２８に記憶されているジョブキューおよびジョブ情報に基づいてジョブリスト７０を作成し、このジョブリスト７０を含む非選択状態のジョブリスト画面６０（Ａ）を操作表示部１３に表示させる（ステップＳ２０２）。
【００７３】
ジョブリスト画面６０（Ａ）に表示しているジョブリスト７０の中からいずれかのジョブがユーザによって選択されると（ステップＳ２０３；Ｙｅｓ）、該ジョブに関する選択状態のジョブリスト画面６０（Ｂ）を表示する（ステップＳ２０４、図４参照）。具体的には、選択ジョブＳｊの設定内容を示す表示操作ボタン６５を第２領域６２に表示し、かつ選択ジョブＳｊを、ジョブリスト７０内で反転表示するなどして、他のジョブと識別される態様で表示する。
【００７４】
選択状態のジョブリスト画面６０（Ｂ）において第２領域６２に表示されているいずれかの表示操作ボタン６５がユーザによって選択されると（ステップＳ２０５；Ｙｅｓ）、該選択された表示操作ボタン６５が示す設定内容と該当の設定項目について同一設定内容を有するジョブをジョブリスト７０から抽出し、この抽出ジョブＲｊを他のジョブ（選択ジョブＳｊを含む）と識別可能な構成によりジョブリスト７０を表示する(ステップＳ２０６)。
【００７５】
このようにして抽出ジョブＲｊが識別表示された状態で  第３領域６３に配置されているいずれかの操作ボタン６７がユーザにより操作されると（ステップＳ２０７；Ｙｅｓ）、制御ＣＰＵ２１は、その操作ボタン６７に対応する処理（操作）を、抽出ジョブＲｊもしくは抽出ジョブＲｊと選択ジョブＳｊに対して一括で施す（ステップＳ２０８）。図７では、優先出力ボタン６７ｅが操作された場合（ステップＳ２０７；Ｙｅｓ）を例示してあり、図６に示すように、選択ジョブＳｊの後ろに連続して集約されるように抽出ジョブＲｊの優先順位を高めている（ステップＳ２０８）。
【００７６】
なお、図７では図示省略したが、ジョブリスト７０の中からジョブＳｊが選択されかつ抽出ジョブＲｊが抽出されていない状態で第３領域６３に存するいずれかの操作ボタン６７が操作されると、その操作ボタンに対応する操作が、第２領域６２に設定内容が表示されている選択ジョブＳｊに対してのみ行われる。また、図７では図示省略したが、ジョブリスト７０の中からジョブＳｊが選択されかつ抽出ジョブＲｊが抽出されていない状態でジョブリスト７０の中の別のジョブがユーザにより選択されると、このジョブが新たな選択ジョブになり、該ジョブの設定内容が第２領域６２に表示される。
【００７７】
このように、画像形成装置１０では、互いに重なることのない第１領域６１と第２領域６２とをジョブリスト画面６０の中に設けておき、第１領域６１にジョブリスト７０を表示し、かつこのジョブリスト７０の中でジョブの選択を受け付け、該選択されたジョブの設定内容を第２領域６２に表示するようにしたので、ユーザはジョブリスト７０が表示された状態のまま、そのジョブリストの中から選択した特定のジョブに関する設定内容を容易に確認することができる。これにより、ジョブの設定内容を確認するために別画面を開く必要がなく、ユーザの操作負担が軽減されると共に、各ジョブの設定内容を素早く確認することができる。
【００７８】
また、第２領域６２に設定内容が表示されている選択ジョブＳｊに対して、削除、保留、優先順位変更などの操作を同一画面内の第３領域６３に設けられている操作ボタン６７から行うことができる。これにより、各ジョブの設定内容を確認して所望のジョブを探し出し、そのジョブに対して削除、保留、優先順位変更の操作を行うといった一連の操作を他の画面に遷移することなくジョブリスト画面６０にて行うことができ、高い操作性・利便性が確保される。
【００７９】
さらに、第２領域６２に表示された表示操作ボタン６５を選択することで、その表示操作ボタン６５に対応する設定内容と該当の設定項目について同一の設定内容を有するジョブがジョブリストの中から抽出されて他のジョブと識別できる態様で表示されるので、各ジョブの設定内容を第２領域６２に順次表示させて同一設定内容のジョブを個々に探し出す場合に比べて、同一設定内容のジョブを探し出すためのユーザの作業負担が軽減される。
【００８０】
また、いずれかの表示操作ボタン６５を操作するかによってジョブの抽出条件を変更できるので、抽出の自由度が高く、ユーザの意図する設定内容のジョブを抽出することができる。さらに、複数の表示操作ボタン６５を選択することで複数の設定内容のＡＮＤ条件でジョブを抽出できるので、目的のジョブを的確に絞り込んで抽出することができる。
【００８１】
また、抽出ジョブＲｊもしくは抽出ジョブＲｊと選択ジョブＳｊに対して削除、保留、優先順位の変更などの操作（処理）を一括で施すことができるので、利便性が向上する。
【００８２】
たとえば、選択ジョブＳｊと出力用紙に関する設定内容が同一のジョブＲｊを抽出し、これらに対して優先順位の変更を一括して行って、選択ジョブＳｊと抽出ジョブＲｊとが連続実行されるように操作すれば、これら選択ジョブＳｊおよび抽出ジョブＲｊが連続実行される間は給紙トレイの用紙を他の種類の用紙に交換する必要がなく、ジョブの替わり目で給紙トレイ内の用紙を交換する場合に比べて、装置の稼働率を高めることができる。
【００８３】
さらに、上記一括操作の対象にするか否かを抽出ジョブＲｊ毎に個別に選択できるので、一括操作の対象にするジョブをより高い自由度において迅速かつ容易に選択することができ、ユーザの様々な要求に柔軟に対応することができる。
【００８４】
以上、本発明の実施の形態を図面によって説明してきたが、具体的な構成は実施の形態に示したものに限られるものではなく、本発明の要旨を逸脱しない範囲における変更や追加があっても本発明に含まれる。
【００８５】
たとえば、実施の形態で示したジョブリスト画面６０の画面構成は一例であり、第１領域６１、第２領域６２、第３領域６３の各サイズや配置などは例示したものに限定されない。これらの領域は互いに重ならないように配置されていればよい。
【００８６】
またジョブリスト７０に表示する項目や第２領域６２に表示する設定項目は実施の形態で例示したものに限るものではなく、適宜変更されてもかまわない。
【００８７】
実施の形態では、優先順位の一括操作を行う場合に、選択ジョブＳｊの後ろに抽出ジョブＲｊを連続して集約するようにしたが、優先順位の変更態様はこれに限定されるものではない。たとえば、抽出ジョブＲｊの１つが選択ジョブＳｊより高い優先順位になる場合も在り得るので、選択ジョブＳｊおよび抽出ジョブＲｊの中で最も優先順位の高いジョブを先頭にし、このジョブの後ろに残りの選択ジョブＳｊおよび抽出ジョブＲｊを連続して集約させるようにしてもよい。また、集約させた後の選択ジョブＳｊおよび抽出ジョブＲｊに対してさらに一括で優先順位を高めたり下げたりできるように構成されてもよい。
【００８８】
実施の形態では、選択された表示操作ボタン６５に対応する設定内容とその設定項目について同一の設定内容を有するジョブを検索して抽出したが、選択された表示操作ボタン６５に対応する設定内容とその設定項目に対する設定内容が不一致となるジョブをジョブリストの中から抽出するように構成されてもよい。また、実施の形態では複数の表示操作ボタン６５が選択された場合に、それらに対応する設定内容のＡＮＤ条件を検索キーにしてジョブを抽出したが、ＡＮＤ、ＯＲ、ＮＯＴなど検索の条件は別の条件でもよく、さらに検索の条件をユーザが選択できるように構成されてもよい。
【００８９】
たとえば、画面上にＡＮＤボタン、ＯＲボタン、ＮＯＴボタンなど演算条件を配置しておき、第１の表示操作ボタン６５→ＡＮＤボタン→第２の表示操作ボタン６５と操作されたときは第１の表示操作ボタン６５が示す設定内容と同一の設定内容を有しかつ第２の表示操作ボタン６５が示す設定内容と同一の設定内容を有するというＡＮＤ条件を検索キーにしてジョブを抽出する。また、第１の表示操作ボタン６５→ＡＮＤボタン→ＮＯＴボタン→第２の表示操作ボタン６５と操作されたときは第１の表示操作ボタン６５が示す設定内容を有しかつ第２の表示操作ボタン６５が示す設定内容を持たないジョブを抽出するといった構成にされてもよい。
【図面の簡単な説明】
【００９０】
【図１】本発明の実施の形態に係る画像形成装置の構成を示すブロック図である。
【図２】本発明の実施の形態に係る画像形成装置の操作表示部に表示されるコピー設定画面の一例を示す説明図である。
【図３】本発明の実施の形態に係る画像形成装置の操作表示部に表示されるジョブ非選択時のジョブリスト画面の一例を示す説明図である。
【図４】本発明の実施の形態に係る画像形成装置の操作表示部に表示されるジョブ選択時のジョブリスト画面の一例を示す説明図である。
【図５】図４に示すジョブリスト画面においてトレイボタンが選択されたときの表示状態を例示した説明図である。
【図６】選択ジョブの後ろに抽出ジョブを連続して集約させた状態のジョブリスト画面を例示した説明図である。
【図７】ジョブリスト画面の表示に関して制御ＣＰＵが行う処理の流れを示す流れ図である。
【図８】ジョブリストが表示された従来のジョブ管理画面の一例を示す説明図である。
【符号の説明】
【００９１】
１０…画像形成装置
１１…スキャナ部
１２…プリンタ部
１３…操作表示部
１４…ＦＮＳ制御部
２０…本体制御部
２１…制御ＣＰＵ
２２…画像バス
２３…システムバス
２４…読み取り処理部
２５…書き込み処理部
２６…プログラムメモリ
２７…システムメモリ
２８…不揮発メモリ
３１…ＶＲＡＭ
３２…ＬＣＤコントローラ
４０…コピー設定画面
４１〜４７…設定欄
４７ａ…用紙予約設定ボタン
４８…ジョブリストタグ
５０…基本情報表示部
６０…ジョブリスト画面
６１…第１領域
６２…第２領域
６３…第３領域
６５…表示操作ボタン
６５ａ…用紙サイズボタン
６５ｂ…紙種ボタン
６５ｃ…トレイボタン
６６、６６ａ〜６６ｅ…タイトル
６７…第３領域の操作ボタン
６７ａ…設定解除ボタン
６７ｂ…ＨＤＤ読込ボタン
６７ｃ…削除ボタン
６７ｄ…保留ボタン
６７ｅ…優先出力ボタン
６７ｆ…優先ボタン
６７ｇ…詳細／編集ボタン
７０…ジョブリスト
Ｓｊ…選択ジョブ
Ｒｊ…抽出ジョブ
【図１】
2008257580.tif 000003
【図２】
2008257580.tif 000004
【図３】
2008257580.tif 000005
【図４】
2008257580.tif 000006
【図５】
2008257580.tif 000007
【図６】
2008257580.tif 000008
【図７】
2008257580.tif 000009
【図８】
2008257580.tif 000010